(57)【特許請求の範囲】
【請求項１】
吸気通路にスロットル弁を備え、車両に走行用動力源として搭載される内燃機関に適用され、前記車両のアクセルペダルの開度変化に基づいて前記スロットル弁を制御する制御手段を備えた内燃機関の制御装置において、
前記制御手段は、前記車両に対する減速要求が解除されたと判断した場合、前記車両に対して減速が要求されていたときと比較して前記スロットル弁より吸気の流れ方向下流の吸気通路内の圧力が上昇するように前記スロットル弁を開弁させる再加速準備手段を備え、
前記再加速準備手段は、前記車両に対する減速要求が解除されたと判断した場合、前記スロットル弁の開度が所定の目標開度に調整されるように前記スロットル弁を開弁させ、
前記目標開度は、前記車両への減速要求の解除後かつ前記車両への加速要求前に前記スロットル弁を前記目標開度に開弁して維持し、その後前記車両への加速要求時に前記スロットル弁を全開にしたと仮定した場合において、その前記スロットル弁を全開にしたときに発生すると予想される加速ショックの大きさが、前記車両の運転者が不快に感じない所定の上限値以下になる開度であり、
前記目標開度の設定は、まず前記上限値に対応する、前記内燃機関のトルクを上昇させるときの単位時間当たりのトルクの変化量が算出され、次に算出されたトルクの変化量に基づいて、前記車両に対する減速要求が解除された後に前記車両に対して前記スロットル弁が全開にされる加速が要求されたと仮定するとともにその仮定した加速が終了したときに前記内燃機関から出力されているべきトルクが推定され、その後その推定されたトルクに基づいて前記目標開度が設定されることにより行われることを特徴とする内燃機関の制御装置。
【請求項２】
前記再加速準備手段は、前記車両に対する減速要求が解除されたと判断した場合、前記スロットル弁より吸気の流れ方向下流の吸気通路内の圧力が上昇するように前記スロットル弁を開弁させるとともに、前記スロットル弁の制御に伴って見込まれる前記内燃機関から前記車両の駆動輪に伝達されるトルクの上昇が相殺されるように前記内燃機関の補機が前記内燃機関に与える負荷、前記内燃機関の点火時期、及び前記内燃機関の気筒内に供給される燃料供給量の少なくともいずれか一つを変化させる請求項１に記載の内燃機関の制御装置。
【請求項３】
前記再加速準備手段は、前記車両に対する減速要求が解除されたと判断し、前記スロットル弁より吸気の流れ方向下流の吸気通路内の圧力が上昇するように前記スロットル弁を開弁させた後に、前記車両の速度が予め設定した判定速度以下になった場合、又は前記車両に対して再度減速が要求された場合、前記スロットル弁を全閉にする請求項１又は２に記載の内燃機関の制御装置。
【発明の詳細な説明】
【技術分野】
【０００１】
本発明は、吸気通路にスロットル弁を備え、車両に走行用動力源として搭載される内燃機関に適用される内燃機関の制御装置に関する。
【背景技術】
【０００２】
車両を減速させた後であり、かつ車両を再加速させるべく駆動力を増加させるようにアクセル開度を増大させるまでの間に変速比をロー側に変速させたり、スロットル開度を開いて吸排気弁の弁リフト量及び開閉タイミング制御のみにより内燃機関の出力を加減したりして車両を再加速させる際の応答遅れを防止する制御装置が知られている（特許文献１参照）。その他、本発明に関連する先行技術文献として特許文献２、３が存在する。
【０００３】
【特許文献１】特開２００７−２７０８２５号公報
【特許文献２】特開平９−９４０８号公報
【特許文献３】特開平１０−９０１８号公報
【発明の開示】
【発明が解決しようとする課題】
【０００４】
一般に車両の減速時は、スロットル弁が全閉に制御される。そのため、再加速前に変速比をロー側に変速させただけでは再加速時にスロットル弁の開弁が遅れ、内燃機関の出力が上昇するまでに時間がかかるおそれがある。また、スロットル弁を全閉にするとスロットル弁より下流の吸気通路の圧力が低下するため、再加速時にスロットル弁を急に開弁すると大量の吸気が一度に気筒内に流入し、内燃機関のトルクが急に上昇するおそれがある。この場合、車両が急加速したり加速時に発生するショック（以下、加速ショックと称することがある。）が大きくなるおそれがある。吸排気弁の弁リフト量及び開閉タイミング制御のみで内燃機関の出力を加減することにより、このような内燃機関の出力上昇の遅れや再加速時における内燃機関のトルクの急上昇を防止できるが、吸排気弁の弁リフト量及び開閉タイミングを制御可能な可変動弁機構が必要である。そのため、このような可変動弁機構を備えた内燃機関にしか適用できない。
【０００５】
そこで、本発明は、比較的簡素な構成で、減速後の再加速時における内燃機関の応答遅れを抑制しつつ加速ショックを低減することが可能な内燃機関の制御装置を提供することを目的とする。
【課題を解決するための手段】
【０００６】
本発明の内燃機関の制御装置は、吸気通路にスロットル弁を備え、車両に走行用動力源として搭載される内燃機関に適用され、前記車両のアクセルペダルの開度変化に基づいて前記スロットル弁を制御する制御手段を備えた内燃機関の制御装置において、前記制御手段は、前記車両に対する減速要求が解除されたと判断した場合、前記車両に対して減速が要求されていたときと比較して前記スロットル弁より吸気の流れ方向下流の吸気通路内の圧力が上昇するように前記スロットル弁を開弁させる再加速準備手段を備え、前記再加速準備手段は、前記車両に対する減速要求が解除されたと判断した場合、前記スロットル弁の開度が所定の目標開度に調整されるように前記スロットル弁を開弁させ、前記目標開度は、前記車両への減速要求の解除後かつ前記車両への加速要求前に前記スロットル弁を前記目標開度に開弁して維持し、その後前記車両への加速要求時に前記スロットル弁を全開にしたと仮定した場合において、その前記スロットル弁を全開にしたときに発生すると予想される加速ショックの大きさが、前記車両の運転者が不快に感じない所定の上限値以下になる開度であり、前記目標開度の設定は、まず前記上限値に対応する、前記内燃機関のトルクを上昇させるときの単位時間当たりのトルクの変化量が算出され、次に算出されたトルクの変化量に基づいて、前記車両に対する減速要求が解除された後に前記車両に対して前記スロットル弁が全開にされる加速が要求されたと仮定するとともにその仮定した加速が終了したときに前記内燃機関から出力されているべきトルクが推定され、その後その推定されたトルクに基づいて前記目標開度が設定されることにより行われることにより、上述した課題を解決する（請求項１）。
【０００７】
本発明の制御装置によれば、車両に対する減速要求が解除されると吸気通路内の圧力が上昇するようにスロットル弁が開弁されるので、再加速が要求される前にスロットル弁を予め開弁させておくことができる。そのため、その後再加速が要求された際にスロットル弁を運転者が要求した開度に速やかに開弁することができる。従って、内燃機関の応答遅れを抑制することができる。また、このようにスロットル弁より下流の吸気通路の圧力を予め上昇させておくことにより、再加速時にスロットル弁が開弁されても大量の吸気が一度に気筒に流入することを抑制できる。そのため、加速ショックを低減することができる。さらに、本発明ではスロットル弁で吸気通路の圧力を調整するため、可変動弁機構などを無駄に設ける必要がない。
【０００８】
また、本発明によれば、このように設定された目標開度に予めスロットル弁を開弁させておくことにより、運転者に不快感を生じさせることなく車両を再加速させることができる。
【００１０】
本発明の制御装置の一形態において、前記再加速準備手段は、前記車両に対する減速要求が解除されたと判断した場合、前記スロットル弁より吸気の流れ方向下流の吸気通路内の圧力が上昇するように前記スロットル弁を開弁させるとともに、前記スロットル弁の制御に伴って見込まれる前記内燃機関から前記車両の駆動輪に伝達されるトルクの上昇が相殺されるように前記内燃機関の補機が前記内燃機関に与える負荷、前記内燃機関の点火時期、及び前記内燃機関の気筒内に供給される燃料供給量の少なくともいずれか一つを変化させてもよい（請求項２）。この場合、内燃機関から駆動輪に伝達されるトルクの変化を抑制できるので、減速後に車両が無駄に加速されることを抑制できる。
【００１１】
なお、本発明における「相殺」の概念には、スロットル弁の開弁によるトルクの上昇を完全に打ち消す場合に限らず、トルクの上昇を部分的又は不完全に打ち消す場合も含まれる。
【００１２】
本発明の制御装置の一形態において、前記再加速準備手段は、前記車両に対する減速要求が解除されたと判断し、前記スロットル弁より吸気の流れ方向下流の吸気通路内の圧力が上昇するように前記スロットル弁を開弁させた後に、前記車両の速度が予め設定した判定速度以下になった場合、又は前記車両に対して再度減速が要求された場合、前記スロットル弁を全閉にしてもよい（請求項３）。判定速度として例えば十分に小さく、運転者が車両を停止させようとしていることを認識することが可能な速度を設定することにより、車両に対する再加速の要求が無いことを判断できる。また、車両に対してさらに減速が要求された場合も同様に再加速の要求が無いと推定できる。そこで、このような場合はスロットル弁を全閉にし、車両を速やかに減速させる。
【発明の効果】
【００１３】
以上に説明したように、本発明の制御装置によれば、車両に対する減速要求が解除された場合はスロットル弁を開弁させるので、再加速時における内燃機関の応答遅れを抑制できる。また、スロットル弁より下流の吸気通路の圧力を予め上昇させておくことができるので、加速ショックを低減できる。さらに、吸気通路の圧力はスロットル弁で制御するため、可変動弁機構など内燃機関に無駄な装置を設ける必要がない。そのため、比較的簡素な構成で実施することができる。
【発明を実施するための最良の形態】
【００１４】
図１は、本発明の一形態に係る制御装置が組み込まれた内燃機関の要部を示している。図１の内燃機関（以下、エンジンと称することがある。）１は、車両に走行用動力源として搭載されるものであり、複数（図１では１つのみを示す。）の気筒２を備えている。気筒２にはピストン３が往復動自在に挿入され、そのピストン３はコネクティングロッド４を介して不図示のクランク軸と連結されている。気筒２とピストン３の頂面との間には燃焼室５が形成され、その燃焼室５には吸気通路６及び排気通路７が接続されている。吸気通路６と燃焼室５との間は吸気弁８にて開閉され、排気通路７と燃焼室５との間は排気弁９にて開閉される。吸気弁８及び排気弁９は不図示の動弁機構にて開閉駆動される。この動弁機構はクランク軸にてカム軸を回転させ、そのカム軸に設けられているカムで吸気弁８及び排気弁９を開閉駆動する周知のものである。燃焼室５の上面略中央には点火プラグ１０が設けられ、吸気弁８より外周側には気筒２内に燃料を噴射するためのインジェクタ１１が設けられている。吸気通路６には、吸入空気量に対応した信号を出力するエアフローメータ１２、及び吸入空気量を調整するためのスロットル弁１３が設けられている。スロットル弁１３は、アクチュエータ１３ａにより指定された開度に制御可能ないわゆる電子制御スロットル弁として構成されている。排気通路７には排気を浄化するための排気浄化触媒１４が設けられている。排気浄化触媒１４としては例えば三元触媒、吸蔵還元型ＮＯｘ触媒等が用いられる。
【００１５】
点火プラグ１０、インジェクタ１１、及びスロットル弁１３の動作は、制御手段としてのエンジンコントロールユニット（以下、ＥＣＵと称する。）２０にてそれぞれ制御される。ＥＣＵ２０は、マイクロプロセッサ及びその動作に必要なＲＡＭ、ＲＯＭ等の周辺機器を含んだコンピュータユニットとして構成され、エンジン１に設けられた各種のセンサの出力信号に基づいてエンジン１の運転状態を制御する周知のものである。ＥＣＵ２０は、例えばエンジン１の負荷及び回転数に応じて気筒２に供給すべき燃料量を算出し、その算出した量の燃料が供給されるようにインジェクタ１１の動作を制御する。また、ＥＣＵ２０は、車両が減速されている場合には気筒２に燃料が供給されないようにインジェクタ１１の動作を禁止する、いわゆるフューエルカット制御を実行する。さらに、ＥＣＵ２０は、燃焼室５内の燃料混合気が適切な時期に燃焼するように点火プラグ１０の動作を制御する。この他、ＥＣＵ２０はエンジン１の運転状態に基づいて設定された目標空燃比となる量の吸気が燃焼室５に吸入されるようにスロットル弁１３の動作を制御する。ＥＣＵ２０には、エンジン１の運転状態及び車両の走行状態を検出するためのセンサとしてエンジン１の機関回転速度に対応する信号を出力するクランク角センサ２１、アクセルペダル１５の開度及びその変化量に対応した信号をそれぞれ出力するアクセル開度センサ２２、ブレーキペダルが踏まれた場合に信号を出力するブレーキセンサ２３、車両の速度に対応する信号を出力する車速センサ２４、及びエアフローメータ１２等が接続されている。この他にもＥＣＵ２０には各種センサが接続されているが、それらの図示は省略した。
【００１６】
ＥＣＵ２０は、運転者から車両に対して加速が要求された場合、エンジン１のトルクを上昇させるときの単位時間当たりのトルクの変化量（以下、トルク勾配と称することがある。）が所定の目標値になるようにスロットル弁１３の開度を制御する。加速時のトルク勾配が大きい場合、エンジン１のトルクを速やかに上昇させる、いわゆるトルクの立ち上がりを鋭くすることができるが、加速ショックが大きくなり運転者に不快感を与える。一方、加速時のトルク勾配が小さい場合は加速ショックを抑えることができるが、エンジン１のトルクの上昇が遅く、いわゆるトルクの立ち上がりが鈍くなる。そこで、ＥＣＵ２０は、加速時のトルク勾配が加速ショックを運転者が不快に感じない程度に抑えられ、かつエンジン１のトルクが速やかに上昇するトルク勾配となるようにスロットル弁１３の開度を制御する。以下、この制御をトルク勾配調整制御と称することがある。
【００１７】
この場合、車両に対して加速が要求されてからスロットル弁１３の開弁を開始すると車両を加速させるために必要な時間が長くなる。また、再加速時にスロットル弁１３が急に開弁されると大きな加速ショックが発生するおそれがある。そこで、ＥＣＵ２０は、運転者から車両に対して加速が要求されるよりも前にスロットル弁１３より吸気の流れ方向下流の吸気通路６の圧力を上昇させるべくスロットル弁１３を予め若干開弁させる再加速準備制御を実行する。ＥＣＵ２０は、車両に対する減速要求が解除されたと判断した場合にこの再加速準備制御を実行する。なお、車両に対する減速要求は、ブレーキセンサ２３の出力信号に基づいて判断され、運転者によるブレーキペダルの踏み込みが解除された場合、すなわちブレーキセンサ２３から出力されていた信号が消えた場合に減速要求が解除されたと判断する。再加速準備制御においてＥＣＵ２０は、まずスロットル弁１３の目標開度θを算出する。目標開度θは、この再加速準備制御でスロットル弁１３を開弁させる開度である。
【００１８】
図２〜図４を参照して目標開度θの設定方法について説明する。なお、図２はトルク勾配と加速ショック量との関係の一例を示す図であり、図３はトルク勾配と車両が定常で走行しているときのエンジン１のトルク（以下、定常時走行トルクと称することがある。）との関係の一例を示す図である。また、図４は、定常時走行トルクと目標開度との関係の一例を示す図である。目標開度θを設定する場合、ＥＣＵ２０はまず図２の関係を用いて運転者が不快に感じない加速ショック量の上限値ＡＳに対応するトルク勾配ΔＴを算出する。図２に示した関係は車両に応じて異なる。一方、運転者が許容可能な加速ショック量の上限値ＡＳはほぼ一定である。そこで、予め実験や数値計算などで図２に示した関係を求めてＥＣＵ２０のＲＯＭにマップとして記憶させておく。そして、そのマップと加速ショック量の上限値ＡＳとを用いてトルク勾配ΔＴを算出すればよい。
【００１９】
次に図３の関係を用いて算出したトルク勾配ΔＴから車両に対して加速が要求されてその加速が終了したときにエンジン１から出力されているべき定常時走行トルクＴを推定する。図３から明らかなように図３の関係はスロットル弁１３の開度に応じて変化するが、目標開度θを設定する時点では、まだ加速時にスロットル弁１３がどの程度の開度まで開弁されるか不明である。加速ショックは加速時にスロットル弁１３が全開にされた場合に最も大きくなる。そこで、定常時走行トルクを推定する場合、図３に示した関係のうちスロットル弁１３が全開のときの関係である線Ｌ１を利用して定常時走行トルクＴを推定する。なお、図３に示した関係も図２と同様に予め実験や数値計算などで求めてＥＣＵ２０のＲＯＭに記憶させておき、このマップとトルク勾配ΔＴとを用いて定常時走行トルクＴを推定すればよい。
【００２０】
その後、図４の関係を用いて推定した定常時走行トルクＴから目標開度θを算出する。なお、図４に示したようにこの関係はエンジン１の回転数に応じて変化する。そこで、まず目標開度θを算出しているときのエンジン１の回転数に基づいて使用すべき関係を決定し、次に決定した関係を用いて推定した定常時走行トルクＴから目標開度θを算出する。なお、図４に示した関係はエンジン１及び車両に応じて異なる。そこで、予め実験や数値計算などで図４に示した関係を求めてＥＣＵ２０のＲＯＭにマップとして記憶させておき、そのマップと推定時走行用トルクＴ及びエンジン１の回転数とを用いて目標開度θを算出すればよい。
【００２１】
目標開度θを算出した後、ＥＣＵ２０は、スロットル弁１３の開度がこの目標開度θに調整されるようにスロットル弁１３を開弁させる。また、ＥＣＵ２０は、スロットル弁１３を目標開度θに開弁したことに伴って見込まれるエンジン１から車両の駆動輪に伝達されるトルクの上昇が相殺されるように点火プラグ１０やインジェクタ１１の動作を制御する。この制御では、例えば点火プラグ１０の点火時期を遅角させたり、インジェクタ１１から燃焼室５に供給される燃料量を減少させたりしてエンジン１のトルクの上昇を相殺する。また、エンジン１のトルクを利用して動作する補機、例えばエンジン１のトルクを利用して発電を行うオルタネータなどの発電量を増加させ、これによりエンジン１から車両の駆動輪に伝達されるトルクの上昇を相殺してもよい。このようにＥＣＵ２０は、再加速準備制御においてまず目標開度θを算出し、その後スロットル弁１３を算出した目標開度θに調整するとともにそれに伴って見込まれる駆動輪に伝達されるトルクの上昇を相殺する制御を行う。
【００２２】
図５は、ＥＣＵ２０が上述したトルク勾配調整制御、及び再加速準備制御を適宜のタイミングで実施するためにエンジン１の運転中に所定の周期で繰り返し実行するスロットル弁制御ルーチンを示すフローチャートである。図５を実行することによりＥＣＵ２０が本発明の再加速準備手段として機能する。
【００２３】
図５の制御ルーチンにおいてＥＣＵ２０は、まずステップＳ１１でエンジン１の運転状態及び車両の走行状態を取得する。エンジン１の運転状態としては、エンジン１の回転数及び負荷、スロットル弁１３の開度などが取得される。車両の走行状態としては、車速、アクセル開度、ブレーキペダルの操作状態などが取得される。次のステップＳ１２においてＥＣＵ２０は、再加速準備制御が実行中か否か示すフラグが実行中であることを示すオンの状態か否か判断する。なお、このフラグの状態はＥＣＵ２０のＲＡＭに記憶され、次回この制御ルーチンが実行されたときに使用される。また、このフラグの状態はＥＣＵ２０の停止時に消去され、ＥＣＵ２０の起動時にはオフの状態にリセットされる。フラグがオフであると判断した場合はステップＳ１３に進み、ＥＣＵ２０は車両が減速中か否か判断する。この判断は、例えば車速及びブレーキセンサ２３の出力信号を参照して判断すればよい。車両が減速中ではないと判断した場合は、今回の制御ルーチンを終了する。一方、車両が減速中であると判断した場合はステップＳ１４に進み、ＥＣＵ２０は車両に対する減速要求が解除されたか否か判断する。上述したようにこれはブレーキセンサ２３の出力信号に基づいて判断すればよい。減速要求が解除されていないと判断した場合は、今回の制御ルーチンを終了する。一方、減速要求が解除されたと判断した場合はステップＳ１５に進み、ＥＣＵ２０は上述した再加速準備制御を実行する。続くステップＳ１６においてＥＣＵ２０は、フラグをオンの状態に切り替える。その後、今回の制御ルーチンを終了する。
【００２４】
ステップＳ１２が肯定判断された場合はステップＳ１７に進み、ＥＣＵ２０は車両に対して加速が要求されたか否か判断する。これは例えばアクセル開度センサ２２の出力信号に基づいて判断すればよく、アクセルペダル１５が踏み込まれた場合に加速が要求されたと判断する。加速が要求されたと判断した場合はステップＳ１８に進み、ＥＣＵ２０はトルク勾配調整制御を実行する。次のステップＳ１９においてＥＣＵ２０は、フラグをオフの状態に切り替える。その後、今回の制御ルーチンを終了する。
【００２５】
一方、ステップＳ１７で車両に対して加速が要求されていないと判断した場合はステップＳ２０に進み、ＥＣＵ２０は再加速準備制御を中止すべき所定の制御中止条件が成立したか否か判断する。制御中止条件は、車両に対して再加速が要求されることが無いと予想される場合、言い換えると車両が停止すると予測される場合に成立したと判断される。具体的には、例えばブレーキペダルが再度踏み込まれてブレーキセンサ２３の出力信号がオンの状態に切り替わった場合、又は車速が予め設定した判定速度α以下に低下した場合に車両が停止すると予測し、制御中止条件が成立したと判断する。なお、判定速度αとしては例えば十分に小さく、運転者が車両を停止させようとしていることを認識することが可能な速度が設定される。制御中止条件が不成立と判断した場合は今回の制御ルーチンを終了する。一方、制御中止条件が成立したと判断した場合はステップＳ２１に進み、ＥＣＵ２０はスロットル弁１３を全閉にして再加速準備制御を中止する。その後、ＥＣＵ２０はステップＳ１９でフラグをオフに切り替えて今回の制御ルーチンを終了する。
【００２６】
図６は、図５の制御ルーチンを実行して再加速準備制御、及びトルク勾配調整制御を実行した場合におけるエンジン１の発生トルクの時間変化の一例を示している。なお、図６は上から順に、アクセルペダル１５の開度の時間変化、ブレーキセンサ２３の出力信号の時間変化、エンジン１の発生トルクの時間変化、エンジン１に補機として設けられているオルタネータの発電量の時間変化、及びスロットル弁１３の開度の時間変化を示している。図６では、時刻ｔ１においてアクセルペダル１５の開度が０になり、エンジン１のトルクがアイドル運転時のトルクＴＩまで低下している。そして、時刻ｔ２においてブレーキペダルが踏み込まれている。すなわち、時刻ｔ２から車両に対して減速が要求されている。そのため、ＥＣＵ２０は、時刻ｔ３から時刻ｔ４までエンジン１に対してフューエルカット制御を実行している。そして、図６に示した例では時刻ｔ５においてブレーキペダルの踏み込みが解除されて、ブレーキセンサ２３の出力信号がオフに切り替わっている。すなわち。この時刻ｔ５において車両に対する減速要求が解除されている。そこで、ＥＣＵ２０は、上述した再加速準備制御を実行してスロットル弁１３を目標開度θまで開弁する。図６では、時刻ｔ６においてスロットル弁１３が目標開度θまで開弁されている。これにより、エンジン１のトルクが上昇するため、図６に示した例では時刻ｔ６から時刻ｔ７までエンジン１から車両の駆動輪に伝達されるトルクがほぼ一定になるようにオルタネータの発電量を増加させている。そして、時刻ｔ７においてアクセルペダル１５が踏み込まれ、車両に対して加速が要求されると、ＥＣＵ２０はトルク勾配調整制御を実行してエンジン１のトルクを運転者の要求しているトルクまで上昇させる。
【００２７】
なお、図６には比較例として再加速準備制御を実行せずにトルク勾配調整制御を実行した場合のエンジン１のトルク変化を破線Ｂで示した。図６から明らかなように、再加速準備制御を実行せずにトルク勾配調整制御を実行すると、車両に対して加速が要求された際のトルク勾配が大きくなり、加速ショックが大きくなる。一方、図５の制御ルーチンを実行し、加速が要求される前に再加速準備制御を実行し、その後トルク勾配調整制御を実行することにより、トルク勾配を小さくしつつエンジン１のトルクを加速時に速やかに上昇させることができる。
【００２８】
以上に説明したように、本発明の制御装置によれば、車両に対する減速要求が解除されると再加速準備制御が実行されてスロットル弁１３が目標開度θまで開弁されるので、その後車両に対して再加速が要求された場合にエンジン１の応答遅れを抑制しつつ加速ショックを低減することができる。また、再加速準備制御では、スロットル弁１３の開弁に伴って見込まれるエンジン１から車両の駆動輪に伝達されるトルクの上昇が相殺されるように点火プラグ１０、インジェクタ１１、及びエンジン１の補機の動作を制御するので、減速時に車両が加速されることを抑制できる。さらに、制御中止条件が成立した場合は、再加速準備制御を中止するので、車両を速やかに減速させることができる。
【００２９】
再加速準備制御における目標開度θの算出方法は上述した方法に限定されない。上述した方法では、再加速時にスロットル弁１３が全開にされると仮定して目標開度θを算出したが、実際に再加速時にスロットル弁１３が全開にされる場合は少ない。そこで、ＥＣＵ２０は、過去において車両を再加速させるべく運転者がアクセルペダル１５を操作してスロットル弁１３を開弁させたときのスロットル弁１３の開度を学習値として記憶し、この学習値に基づいて目標開度θを設定してもよい。なお、学習値としては、例えば再加速が要求され、さらに車速が予め設定した判定速度β以上になった場合のスロットル弁１３の開度が記憶される。これにより、運転者がアクセルペダル１５を誤って操作したときの開度など誤った開度が記憶されることを防止できる。このように学習値を記憶することにより、ＥＣＵ２０が本発明の学習手段として機能する。
【００３０】
学習値を用いた算出方法の場合、トルク勾配ΔＴから定常時走行トルクＴを推定する方法が上述した算出方法と異なる。具体的には、上述した方法では図３に示された関係のうちスロットル弁１３が全開の場合の関係である線Ｌ１を利用したが、この算出方法では図３に示された関係のうち学習値に対応する関係を利用して定常時走行トルクＴを推定する。例えば、学習値に対応する関係が図３の線Ｌ２の関係である場合は、この線Ｌ２の関係を用いてトルク勾配ΔＴから定常時走行トルクＴを推定する。この場合、過去に運転者が再加速時に操作したスロットル弁１３の開度が目標開度θに反映されるので、再加速準備制御においてスロットル弁１３が無駄に大きく開弁されることを防止できる。また、再加速時に運転者が要求すると予想される開度付近に調整できるので、再加速が要求された場合にスロットル弁１３の開度を速やかに運転者が要求する開度に調整できる。
【００３１】
本発明は、上述した形態に限定されることなく、種々の形態にて実施することができる。例えば、本発明が適用される内燃機関は、火花点火内燃機関に限定されない。本発明はディーゼル内燃機関に適用してもよい。また、気筒内に直接燃料を噴射するいわゆる直噴式内燃機関の他に、吸気ポートに燃料を噴射するポート噴射式の内燃機関に本発明を適用してよい。
【図面の簡単な説明】
【００３２】
【図１】本発明の一形態に係る制御装置が組み込まれた内燃機関の要部を示す図。
【図２】トルク勾配と加速ショック量との関係の一例を示す図。
【図３】トルク勾配と定常時走行トルクとの関係の一例を示す図。
【図４】定常時走行トルクと目標開度との関係の一例を示す図。
【図５】ＥＣＵが実行するスロットル弁制御ルーチンを示すフローチャート。
【図６】図５の制御ルーチンを実行した場合におけるエンジンの発生トルクの時間変化の一例を示す図。
【符号の説明】
【００３３】
１  内燃機関
２  気筒
６  吸気通路
１３  スロットル弁
１５  アクセルペダル
２０  エンジンコントロールユニット（制御手段、再加速準備手段、学習手段）
θ  目標開度
α  判定速度
【図１】
0005146131.tif 000002
【図２】
0005146131.tif 000003
【図３】
0005146131.tif 000004
【図４】
0005146131.tif 000005
【図５】
0005146131.tif 000006
【図６】
0005146131.tif 000007